(57)【要約】ＴＶ受像機（Ｒ）用の平面アンテナ装置（ＡＤ）は、i)一方と他方とを離間させた第１および第２の終端部（Ｅ１およびＥ２）を具えるループアンテナ（ＬＡ）と、ii)ループアンテナ（ＬＡ）の第１および第２の終端部（Ｅ１およびＥ２）に接続され、このループアンテナ（ＬＡ）がコマンド信号から受信可能なＶＨＦのＴＶ信号の周波数を制御するように構成したチューニング手段（ＴＭ）と、iii)ループアンテナ（ＬＡ）と協働してＵＨＦの周波数を有するＴＶ信号を受信する際のＵＨＦモノポールアンテナとして機能する第１のグラウンド面（ＧＰ１）と、iv)第１の選定された位置でループアンテナ（ＬＡ）に結合され受信ＶＨＦ信号を供給するように構成した第１の結合手段（ＣＭ１）と、v）第２の選定された位置でループアンテナ（ＬＡ）に結合され受信ＵＨＦ信号を供給するように構成した第２の結合手段（ＣＭ２）と、vi)第１のグラウンド面（ＧＰ１）に結合され、ＴＶ信号を増幅するように構成した増幅手段（ＡＭ）と、vii)増幅手段（ＡＭ）を、コマンド信号に応じて第１の結合手段（ＣＭ１）および／または第２の結合手段（ＣＭ２）に結合して、増幅手段がＶＨＦおよび／またはＵＨＦの周波数を有する増幅された選択ＴＶ信号を出力部に供給するようにした切り換え手段（ＳＭ）とを具える。
2009514307.tif 000002
【特許請求の範囲】
【請求項１】
電子機器用の平面アンテナ装置において、当該アンテナ装置が、
i)選定された形状を有し、互いに離間した第１および第２の終端部を具えるループアンテナと、ii)前記第１および第２の終端部に接続され、前記ループアンテナがコマンド信号から受信可能なＶＨＦのＴＶ信号の周波数を制御するように構成したチューニング手段と、iii)前記ループアンテナと協働するように結合され、当該ループアンテナが、ＵＨＦの周波数を有するＴＶ信号を受信するためのＵＨＦモノポールアンテナとして機能するようにした第１のグラウンド面と、iv)前記ループアンテナに第１の選定された位置で結合され、ＶＨＦの周波数を有する受信ＴＶ信号を供給するように構成した第１の結合手段と、v)前記ループアンテナに第２の選定された位置で結合され、ＵＨＦの周波数を有する受信ＴＶ信号を供給するように構成した第２の結合手段と、vi)前記第１のグラウンド面に結合され、ＴＶ信号を増幅するように構成した増幅手段と、vii)前記増幅手段を、コマンド信号に応じて前記第１の結合手段および／または第２の結合手段に結合し、前記増幅手段が、ＶＨＦおよび／またはＵＨＦの周波数を有する増幅された選択ＴＶ信号を出力部に供給するように構成した切り換え手段とを具えていることを特徴とする、平面アンテナ装置。
【請求項２】
前記増幅手段および切り換え手段を前記ループアンテナの外側に位置付け、前記切り換え手段は、第１および第２の結合手段にそれぞれ接続される第１および第２の入力部と、前記増幅手段の入力部に接続され、コマンド信号に応じて前記第１の入力部か、前記第２の入力部のいずれかに接続可能な出力部とを具え、前記第１の結合手段は、前記切り換え手段の前記第１の入力部と前記第１のグラウンド面とにそれぞれ接続される第１および第２の終端部を有する結合ループを具え、前記第２の結合手段は、前記ループアンテナを前記切り換え手段の第２の入力部に接続するＵＨＦモノポールアンテナを規定する結合トラックとすることを特徴とする、請求項１に記載の平面アンテナ装置。
【請求項３】
前記ループアンテナをほぼ正方形にすることを特徴とする、請求項２に記載の平面アンテナ装置。
【請求項４】
前記結合ループは、前記第１のグラウンド面に接続される遠端部を有する片端接地タイプとすることを特徴とする、請求項２または３に記載の平面アンテナ装置。
【請求項５】
前記結合ループは、前記増幅手段にバランを介して結合する差動タイプとすることを特徴とする、請求項２または３に記載の平面アンテナ装置。
【請求項６】
前記結合ループをほぼ長方形にすることを特徴とする、請求項２〜５の何れか１項に記載の平面アンテナ装置。
【請求項７】
前記増幅手段および切り換え手段を、前記ループアンテナによって規定される領域であって、前記増幅手段のためのグラウンドを規定し、かつ前記第１のグラウンド面に直の配線接続を経て接続される第２のグラウンド面を具える領域の選定された部分内に位置付け、前記第１の結合手段は、前記ループアンテナに第１の選定された位置で接続され、かつ前記増幅手段に結合される少なくとも１つの結合トラックを具え、前記第２の結合手段は、前記ループアンテナに第２の選定された位置で接続され、かつ前記切り換え手段に接続されることを特徴とする、請求項１に記載の平面アンテナ装置。
【請求項８】
前記増幅手段は、前記第１の結合手段と前記第２のグラウンド面とに結合されてＶＨＦの周波数を有する選択された受信ＴＶ信号を増幅する第１の増幅器、および、前記第２の結合手段を介して前記ループアンテナと、前記第２のグラウンド面とに結合されてＵＨＦの周波数を有する選択された受信ＴＶ信号を増幅する第２の増幅器を具えることを特徴とする、請求項７に記載の平面アンテナ装置。
【請求項９】
前記増幅手段は、前記第１の結合手段と、前記第２の結合手段を介して前記ループアンテナと、前記第２のグラウンド面とに結合されて、ＶＨＦの周波数および／またはＵＨＦの周波数を有する選択された受信ＴＶ信号を増幅する共通の増幅器を具えることを特徴とする、請求項７に記載の平面アンテナ装置。
【請求項１０】
前記ループアンテナをほぼ長方形にすることを特徴とする、請求項７〜９の何れか１項に記載の平面アンテナ装置。
【請求項１１】
前記チューニング手段は、前記ループアンテナの第１および第２の終端部にそれぞれ接続される第１の端子と、第１および第２のデカップリングインダクタンス手段を経てＤＣ接地される第２の端子とを有する直列に取り付けられた２つの同一バラクタを具えることを特徴とする、請求項１〜１０の何れか１項に記載の平面アンテナ装置。
【請求項１２】
前記平面アンテナ装置は、あるデジタルコマンド信号をアナログコマンド信号に変換するように構成したデジタルアナログコンバータ、および／または、いくつかの他のコマンド信号を供給するための少なくとも１つのコマンド線を具えることを特徴とする、請求項１〜１１の何れか１項に記載の平面アンテナ装置。
【請求項１３】
少なくとも、前記ループアンテナ、前記チューニング手段、前記第１の結合手段、前記増幅手段、および前記切り換え手段をプリント基板上に規定することを特徴とする、請求項１〜１２の何れか１項に記載の平面アンテナ装置。
【請求項１４】
請求項１〜１３の何れか１項に記載の平面アンテナ装置と、前記平面アンテナ装置に接続されるＴＶ受像機とを具えることを特徴とする電子機器。
【請求項１５】
少なくとも、携帯電話、コードレスホン、携帯情報端末、ポータブルテレビ、パソコン、およびラップトップを含むグループから選定されることを特徴とする請求項１４に記載の電子機器。
【発明の詳細な説明】
【技術分野】
【０００１】
本発明は、テレビジョン（ＴＶ）アンテナの分野に関し、より正確には、電子機器に用いてＴＶ受像機にＴＶ信号を供給することができる小型の平面ＴＶアンテナに関する。
【背景技術】
【０００２】
今日、ますます多くの電子機器が、テレビ番組を表示するのに対応している。これは、例えば携帯情報端末（すなわちＰＤＡ）、ポータブルテレビ、およびラップトップのような、何らかの携帯機器の場合に特に言えることである。これらの製品は小型であるため、それらのＴＶアンテナのサイズはできる限り小さくする必要がある。
【０００３】
送信されたＴＶ（ＲＦ）信号の周波数が、ＴＶ放送のための新しいオフエアの標準ＤＶＢ−Ｔの一部であるＶＨＦバンドに属する場合、このサイズ縮小は重要な問題になる。なお、ＤＶＢ−Ｔ標準には、およそ１．５ｍの波長に対応するＶＨＦバンド（１７０ＭＨｚから２２０ＭＨｚまで）の一部と、およそ０．６４ｍ〜０．３５ｍの間の波長に対応する全ＵＨＦバンド（４７０ＭＨｚから８５５ＭＨｚまで）とが含まれる。良好なＴＶ信号の受信を達成するために、ＴＶアンテナのサイズが１／４波長に等しくなければならないと仮定すると、上述した値から、ＴＶアンテナのサイズは、信号周波数がＶＨＦバンドに属する場合３７ｃｍのオーダーでなければならず、信号周波数がＵＨＦバンドに属する場合１６ｃｍ〜６ｃｍの間でなければならないことになる。したがって、携帯機器の全ＵＨＦバンドにわたって許容できる程度の信号受信を提供する標準アンテナを設計することは、困難ではあるが可能だとしても、そのアンテナがＶＨＦバンドに属する周波数のＴＶ信号も受信する必要がある場合、つまりＵＨＦおよびＶＨＦバンドの周波数のＴＶ信号を受信する必要がある場合、そのようなアンテナを設計することは不可能である。
【発明の開示】
【発明が解決しようとする課題】
【０００４】
したがって、本発明の目的は、標準的なＴＶアンテナ、特に携帯機器のＴＶ受像機に供給するのに用いられるＴＶアンテナの上述した欠点を解消することができる、新型のＵＨＦ／ＶＨＦ平面アンテナ装置を提供することにある。
【課題を解決するための手段】
【０００５】
この目的のために、本発明は、
−  選定された形状を有し、互いに離間した第１および第２の終端部を具えているループアンテナと、
−  ループアンテナの第１および第２の終端部に接続され、このループアンテナＬＡがコマンド信号から受信できるＶＨＦのＴＶ信号の周波数を制御するように構成されるチューニング手段と、
−  ループアンテナと協働して、ＵＨＦのＴＶ信号を受信するためのＵＨＦモノポールアンテナとして機能するよう結合される第１のグラウンド面と、
−  第１の選定された位置にてループアンテナに結合され、ＶＨＦ周波数の受信ＴＶ信号を供給するよう構成される第１の結合手段と、
−  第２の選定された位置にとループアンテナに結合され、ＵＨＦ周波数の受信ＴＶ信号を供給するよう構成される第２の結合手段と、
−  第１のグラウンド面に結合され、ＴＶ信号を増幅するよう構成される増幅手段と、
−  増幅手段を、コマンド信号に応じて第１の結合手段におよび／または第２の結合手段に結合し、増幅手段が、ＶＨＦおよび／またはＵＨＦ周波数を有する増幅された選択ＴＶ信号を出力部に供給するようにした切り換え手段とを具えている、電子機器用平面アンテナ装置を提供する。
【０００６】
本発明による平面アンテナ装置は、別個に、または組み合わせて考慮される、追加の特徴を有するようにもできる。すなわち、
−  第１の実施例では、増幅手段および切り換え手段は、ループアンテナの外側に位置付けることができる。この場合、i)切り換え手段は、第１および第２の結合手段にそれぞれ接続される第１および第２の入力部と、増幅手段の入力部に接続され、コマンド信号に応じて第１の入力部または第２の入力部に接続可能な出力部とを具え、ii)第１の結合手段は、切り換え手段の第１の入力部と、第１のグラウンド面とにそれぞれ接続される、第１および第２の終端部を有する結合ループを具え、iii)第２の結合手段は、ループアンテナを切り換え手段の第２の入力部に結合する、ＵＨＦモノポールアンテナを規定する結合トラックにする。
ループアンテナは、ほぼ正方形にすることができる。
結合ループは、第１のグラウンド面に接続される最遠端部を有する片端接地タイプのものとすることができ、または、バランを介して増幅手段に結合する差動タイプのものとすることができる。
結合ループは、ほぼ長方形にすることができる。
−  第２の実施例では、増幅手段および切り換え手段を、ループアンテナにより規定され、かつ増幅手段のグラウンドを規定し、直接の配線接続を経て第１のグラウンド面に接続される第２のグラウンド面を具える領域の選定された部分内に位置付けることができる。この場合、i)第１の結合手段は、第１の選定された位置でループアンテナに接続され、かつ増幅手段に結合される、少なくとも１つの結合トラックを具え、ii)第２の結合手段は、第２の選定された位置でループアンテナと、切り換え手段とに接続される。
増幅手段は、ＶＨＦの周波数を有する選択された受信ＴＶ信号を増幅するために、第１の結合手段と第２のグラウンド面とに結合される第１の増幅器、および、ＵＨＦの周波数を有する選択された受信ＴＶ信号を増幅するために、第２の結合手段を介してループアンテナと、第２のグラウンド面とに結合される第２の増幅器を具えることができる。
増幅手段は、第１の結合手段と、第２の結合手段を介してループアンテナと、第２のグラウンド面とに結合されて、ＶＨＦの周波数および／またはＵＨＦの周波数を有する選定された受信ＴＶ信号を増幅する共通の増幅器を具えることができる。
ループアンテナは、ほぼ長方形にすることができる。
−  チューニング手段は、直列に取り付けられ、ループアンテナの第１および第２の終端部にそれぞれ接続される第１の終端部と、第１および第２のデカップリングインダクタンス手段を経てＤＣ接地した第２の終端部とを有する２つの同一バラクタ（またはバリキャップ）を具えることができる。
−  チューニング手段は、ある受信デジタルコマンド信号をアナログコマンド信号に変換するように構成したデジタルアナログ変換器（すなわちＤＡＣ）、および／または、いくつかの他のコマンド信号を供給する少なくとも１つのコマンド線を具えることもできる。
−  少なくとも、ループアンテナ、チューニング手段、第１の結合手段、増幅手段、切り換え手段、Ｄ／Ａ変換器およびコマンド線を、プリント基板上に規定することができる。
【０００７】
本発明は、上述したような平面アンテナ装置と、当該アンテナに接続されるＴＶ受像機とを具える電子機器も提供する。
【０００８】
このような電子機器は、例えば、移動（または携帯）電話、携帯情報端末（すなわちＰＤＡ）、ポータブルテレビ、またはラップトップとすることができる。
【０００９】
以下、本発明の他の特徴および利点を、添付の図面を参照して詳細に説明することにより明らかにする。
【００１０】
なお、添付の図面は、本発明を補完するだけでなく、必要な場合には、発明を定義するのにも寄与し得るものである。
【発明を実施するための最良の形態】
【００１１】
上述したように、本発明は、例えば携帯機器のＴＶ受像機にＴＶ信号を供給するのに用いることができる、新型のＵＨＦ／ＶＨＦ平面アンテナ装置を提供する。
【００１２】
以下の説明では、ＴＶ受像機（ＮＩＭ）は、例えば携帯情報端末（ＰＤＡ）のような、携帯機器（ＰＥ）の一部である集積回路とみなすが、本発明は、このような用途に限定されるものではない。実際、本発明のアンテナは、特に移動（または携帯）電話、コードレスホン、ポータブルテレビ、パソコンまたはラップトップにおいて、テレビ番組を表示することができ、かつ平面アンテナ装置を必要とし得る任意の電子機器に用いることができる。
【００１３】
図１および３に示すように、本発明による平面アンテナ装置ＡＤは、少なくとも以下のものを具えている。
−  例えば、ほぼ正方形の形状（図１）または長方形の形状（図３）あるいは円形状で、互いに離間した第１の終端部Ｅ１および第２の終端部Ｅ２を具えているプリントループアンテナＬＡ。
−  第１の終端部Ｅ１および第２の終端部Ｅ２に接続されるチューニングモジュールＴＭ。このチューニングモジュールＴＭは、ループアンテナＬＡがコマンド信号を受信する時に、このループアンテナＬＡが受信できるＶＨＦのＴＶ信号の周波数を制御するように構成される。ＤＶＢ−Ｔ標準は、ＶＨＦバンドの一部（バリキャップ／バラクタによって同調される１７０ＭＨｚから２２０ＭＨｚまで）をカバーする。
−  ほぼ長方形で、ループアンテナＬＡと協働してＵＨＦのＴＶ信号を受信する第１のグラウンド面ＧＰ１。ＤＶＢ−Ｔ標準は、全ＵＨＦバンド（４７０ＭＨｚから８５５ＭＨｚまで）もカバーする。適切なＵＨＦ信号を受信するために、ループアンテナＬＡの第１の開放端Ｅ１および第２の開放端Ｅ２は、この第１のグラウンド面ＧＰ１から隔離しなくてはならない。ＵＨＦ信号の場合、ループアンテナＬＡは、モノポールアンテナとして機能する。
−  第１の選定された位置にてループアンテナＬＡに結合され、ＶＨＦ周波数を有する受信したＴＶ信号を第１の出力部に供給するように構成した第１の結合手段ＣＭ１。
−  第２の選定された位置にてループアンテナＬＡに結合され、ＵＨＦ周波数を有する受信したＴＶ信号を第２の出力部に供給するように構成した第２の結合手段ＣＭ２。
−  低ノイズタイプとするのが好適な増幅モジュールＡＭ（またはＡ、あるいはＡ１およびＡ２）。この増幅モジュールＡＭは、第１のグラウンド面ＧＰ１によって接地され、ＴＶ信号を増幅するように構成される。
−  増幅モジュールＡＭを、ループアンテナＬＡが受信するコマンド信号に応じて、第１の結合手段ＣＭ１の第１の出力部に、および／または、第２の結合手段ＣＭ２の第２の出力部に結合し、増幅モジュールＡＭが、ＶＨＦおよび／またはＵＨＦの周波数を有する増幅された選択ＴＶ信号ＡＳＳを出力部に供給するよう構成した切り換えモジュールＳＭ。
【００１４】
この平面アンテナ装置ＡＤでは、増幅モジュールＡＭおよび切り換えモジュールＳＭは、（図１に示すように）ループアンテナＬＡの外側か、または（図３に示すように）ループアンテナＬＡによって規定される領域内に位置付けることができる。
【００１５】
さらに、平面アンテナ装置ＡＤは、薄型のプリント基板ＰＣＢ上に規定するのが好適である。より正確には、少なくともプリントループアンテナＬＡ、チューニングモジュールＴＭ、切り換えモジュールＳＭ、および増幅モジュールＡＭ（またはＡ、あるいはＡ１およびＡ２）を、プリント基板ＰＣＢの第１の（コンポーネント）側に規定し、一方、第１のグラウンド面ＧＰ１、第１の結合手段ＣＭ１、および第２の結合手段ＣＭ２を、プリント基板ＰＣＢの、その第１の側と反対側の第２の（コンポーネントのない）側に規定する。
【００１６】
第１のグラウンド面ＧＰ１は、例えば、携帯機器ＰＥのメタルフレーム、または（図３に示すように（第３の）グラウンド面ＧＰ３を規定する）メタルフレームから絶縁した銅はくとすることもできる。したがって、第１のグラウンド面ＧＰ１の寸法は、フレームの寸法によって制限される。
【００１７】
まず、図１および２を参照して、本発明による平面アンテナ装置ＡＤの第１の実施例を説明する。上述したように、また図１に示したように、この第１の実施例では、増幅モジュールＡＭおよび切り換えモジュールＳＭは、ループアンテナＬＡの外側に位置付ける。
【００１８】
プリント基板ＰＣＢの第１の（コンポーネント）側に規定されるループアンテナフレームＬＡの寸法は、例えば６０ｍｍ×６０ｍｍとする。
【００１９】
図２に概略的に示すように、チューニングモジュールＴＭは、直列に取り付けた２つの同一バラクタ（またはバリキャップ）Ｖ１およびＶ２を具え得るものとし、これらは、それらの第１の端子（カソード）をループアンテナＬＡの第１の終端部Ｅ１および第２の終端部Ｅ２にそれぞれ接続して、それらの第２の端子（アノード）を接地する。バラクタ（またはバリキャップ）Ｖ１およびＶ２の第１の端子（カソード）には、チューニング（または整列）のため、第２の結合手段ＣＭ２を介してコマンド信号（０〜５Ｖ）を供給する。
【００２０】
図２に概略的に示すように、バラクタ（またはバリキャップ）Ｖ１およびＶ２の第２の端子（アノード）は、インダクタンスＬ２を有する垂直トラックを経てＤＣ接地されるようにするのが好適である。この第１の例では、垂直トラックは、ループ平衡を増強するため、幅広（典型的には３．５ｍｍ）にすることができる。しかしながら、ループアンテナＬＡの最も低い中央部を接地する場合には、これは不要である。図１の例では、ループアンテナＬＡの最も低い中央部は、ＶＨＦ用に開放している。
【００２１】
チューニングモジュールＴＭはまた、２つの同一キャパシタＣ１およびＣ２も具えることができ、第１のキャパシタＣ１はバラクタＶ１の第１の端子と第２の端子との間に並列に取り付け、第２のキャパシタＣ２はバラクタＶ２の第１の端子と第２の端子との間に並列に取り付ける。これらのキャパシタＣ１およびＣ２は、必須のものではない。これらは、バリキャップまたはバラクタＶ１およびＶ２が、１７０ＭＨｚ〜２２０ＭＨｚの間で同調するための正しい容量比を有しないときに用いられる。
【００２２】
この第１の例では、ＶＨＦ信号専用の第１の結合手段ＣＭ１は、（長方形の）小さな結合ループを具えるようにするのが好適である。図１では、結合ループＣＭ１は、第１の位置の高さにてループアンテナＬＡに磁気的に結合し、片端接地する（つまり、その遠方終端は第１のグラウンド面ＧＰ１に接続する）。しかしながら、結合ループＣＭ１が浮遊差動構成の場合、それを増幅モジュールＡＭにインタフェースするためにバランが必要である。これは、結合ループがＵＨＦ（アンテナ）信号に対して「見えない」ようにするのに役立つ。なお、バランは、通常、平衡−不平衡変換を行う小型の変成器として実装される。
【００２３】
この例では、（片端接地である）小さな結合ループＣＭ１は、この第１の結合モジュールＣＭ１の第１の出力部の第１および第２のサブパーツを規定する第１および第２の終端部を有する。第１の出力部の、これら第１および第２のサブパーツは、それぞれ、切り換えモジュールＳＭの第１の入力部Ｉ１に、および第１のグラウンド面ＧＰ１に接続する。
【００２４】
第２の結合手段ＣＭ２は、第２の選定された位置（第１の終端部Ｅ１および第２の終端部Ｅ２が規定される側と反対側の中央とするのが好適である）にてループアンテナＬＡと、（ビアを経て）切り換えモジュールＳＭの第２の入力部Ｉ２とに接続される、ＵＨＦモノポールアンテナを規定する結合トラックとするのが好適である。
【００２５】
切り換えモジュールＳＭは、プリント基板ＰＣＢ上に規定されるメインモジュールＭＭの一部である。切り換えモジュールＳＭは、第１の結合手段ＣＭ１の第１の出力部および第２の結合手段ＣＭ２の第２の出力部にそれぞれ接続される、その第１の入力部Ｉ１および第２の入力部Ｉ２に加えて、受信したコマンド信号に応じて、第１の入力部Ｉ１または第２の入力部Ｉ２に結合される出力部Ｏを具えている。したがって、出力部Ｏは、その第１の入力部Ｉ１に接続される時は、ＶＨＦ周波数を有する選択されたＴＶ信号（ループアンテナＬＡによって第１の結合手段ＣＭ１を経て供給される）を供給し、その第２の入力部Ｉ２に接続される時は、ＵＨＦ周波数を有する選択されたＴＶ信号（ループアンテナＬＡ（ＵＨＦモノポールアンテナとして機能する）によって第２の結合手段ＣＭ２を経て供給される）を供給する。
【００２６】
増幅モジュールＡＭもまた、メインモジュールＭＭの一部である。これは、i)切り換えモジュールＳＭの出力部Ｏに接続され、切り換えモジュールＳＭによって選択されたＴＶ信号を供給するように構成した入力部と、ii)第１のグラウンド面ＧＰ１に接続される少なくとも１つの入力部と、iii)マイクロ線路（または制御バス）に接続され、コマンド信号（ＳＣＬおよびＳＤＡ、ならびにＣＳ（切り換えモジュールＳＭ用のコマンド信号））および（＋５ボルトに相当する電圧を供給する）給電入力＋５Ｖを供給するよう構成したいくつかのコマンド入力部と、iv)増幅された選択信号ＡＳＳを供給する出力部とを具えている。
【００２７】
増幅モジュールＡＭの出力部は、ＲＦコネクタ切り換え手段ＳＷおよびビアを介して、マイクロ同軸ケーブルＣＣに接続し、このマイクロ同軸ケーブルＣＣは、ＮＩＭ（ネットワークインタフェースモジュール）とも記すテレビチューナレシーバに接続し、これに増幅された選択信号ＡＳＳを供給するようにするのが好適である。
【００２８】
ＲＦコネクタ切り換え手段ＳＷは、外部アンテナの機能を果たすべく用いられる。より正確には、これは、受動の外部アンテナに接続される外部アンテナケーブルのＲＦコネクタに接続することができる。
【００２９】
マイクロ同軸ケーブルＣＣおよびマイクロ線路は、プリント基板ＰＣＢに規定されるビアにはんだ付けするのが好適である。マイクロ同軸ケーブルＣＣのシールドは、増幅モジュール出力部のビア付近で、ストップラッカーのない領域にはんだ付けするのが好適である。したがって、マイクロ同軸ケーブルＣＣは、プリント基板ＰＣＢの第２の、コンポーネントのない側にはんだ付けするのが好適であり、一方、マイクロ線路は、プリント基板ＰＣＢの第１の、コンポーネントのある側に経路を定め、第２の、コンポーネントのない側にはんだ付けすることができる。
【００３０】
図に示すように、例えば、ＮＩＭ（すなわちレシーバ）は、信号処理モジュールＰＭ（チューナ、中間周波増幅器、チャネル復号器）を具え、これは、トラックを経てそのＴＶ信号の入力部に接続して、選択された増幅信号ＡＳＳが供給されるようにする。このトラックは、インダクタンスＬ１およびスイッチＳＷ’を経て、＋５Ｖの給電入力部に接続されて、携帯機器がそのＴＶ信号の入力部を２つの状態に切り換えられるようにする。２つの状態とは、すなわち、０Ｖまたは＋５Ｖである（外部アンテナ機能の使用が選択される場合には、受動の外部アンテナのインダクタンスＬ１は、ＲＦコネクタ切り換え手段ＳＷによってグラウンド（０Ｖ）に切り換えなければならず、能動の外部アンテナが用いられる場合には、インダクタンスＬ１は、スイッチＳＷ’によって５Ｖに切り換えなければならない）。したがって、次の４通りのケースを想定することができる。
−  携帯機器に接続される追加の外部アンテナがなく、０Ｖにより平面アンテナ装置ＡＤを起動する場合、
−  携帯機器に接続される追加の外部アンテナがなく、＋５Ｖにより平面アンテナ装置ＡＤを作動しなくする場合、
−  追加の外部アンテナ（受動または独自の電源を有する）が携帯機器に接続され、０Ｖにより平面アンテナ装置ＡＤを作動しなくする場合（ＲＦ出力部ＡＳＳはＲＦコネクタ切り換え手段ＳＷによって開放される）、
−  追加の外部アンテナが携帯機器に接続され、ＲＦコネクタ切り換え手段ＳＷが、平面アンテナ装置ＡＤを作動しなくし、外部アンテナ（独自の電源は不要）を附勢することができる場合。
【００３１】
変形例においては、スイッチＳＷ’を省略し、インピーダンスＬ１の第２の端子をグラウンド（ＧＰ１）に接続する。この場合、ＮＩＭは、そのＴＶ信号の入力部でＤＣインピーダンスが低く（そして０Ｖに）なるため、外部コネクタがプラグ接続されない場合に、平面アンテナ装置ＡＤの増幅モジュールＡＭが起動する。追加の外部アンテナが（ＲＦコネクタ切り換え手段ＳＷによって）プラグ接続される場合、平面アンテナ装置ＡＤは、（ＤＣインピーダンスまたは追加の外部アンテナのポテンシャルに無関係に）いかなる場合にも作動しなくなる。
【００３２】
次に、図３〜７を参照して、本発明による平面アンテナ装置ＡＤの第２の実施例を説明する。上記したように、また図３に示したように、この第２の実施例では、増幅モジュールＡＭおよび切り換えモジュールＳＭは、ループアンテナＬＡによって規定される領域内に位置付ける。より正確には、増幅モジュールＡＭおよび切り換えモジュールＳＭ（共にメインモジュールＭＭを構成する）は、この領域の選定された部分内に位置付ける。小さな第２のグラウンド面ＧＰ２は、プリント基板ＰＣＢの第１の（コンポーネント）側で、選定された部分内に規定するのが好適である。この第２のグラウンド面ＧＰ２は、直の配線（ショートカット）の接続を経て、第１のグラウンド面ＧＰ１に接続する。
【００３３】
プリント基板ＰＣＢの第１の（コンポーネント）側に規定されるループアンテナフレームＬＡの寸法は、例えば７１ｍｍ×６０ｍｍとする。
【００３４】
この第２の実施例では、チューニングモジュールＴＭは、図２にて説明したのと同じものである。しかしながら、この新規な構成では、垂直トラックを隠さなくてはならない。したがって、図３に概略的に示すように、バラクタＶ１およびＶ２の第２の端子（「アノード」）は、ここでは、ＲＦ（１７０〜２２０ＭＨｚ）に対して、第１および第２のデカップリングインダクタンスＬ２およびＬ３を経て、ＤＣ接地する。
【００３５】
この第２の実施例では、新規な寸法のため、第１の実施例（図１）の、ＶＨＦの部分に対する小さな結合ループの形態で第１の結合手段を有効に隠すことはできない。したがって、第１の結合手段ＣＭ１は、メインモジュールＭＭおよび、（第１および第２の終端部Ｅ１およびＥ２が規定される辺に対して垂直な辺のうちの１つにおける）第１の選定された位置にてループアンテナＬＡに接続される結合トラック（またはタップ）を具えている。
【００３６】
第２の結合手段ＣＭ２は、この第２の実施例では、第２の選定された位置にてループアンテナＬＡと、切り換えモジュールＳＭとに接続する。
【００３７】
上述したように、増幅モジュールＡＭを接地する第２のグラウンド面ＧＰ２は、可撓性とすることができる短い直の配線（ショートカット）の接続を経て、第１のグラウンド面ＧＰ１に接続する。
【００３８】
メインモジュールＭＭ（以下、詳細に説明する）は、i)第１の結合手段ＣＭ１に接続される第１の入力部と、ii)第２の結合手段ＣＭ２を経てループアンテナＬＡに接続される第２の入力部と、iii)第２のグラウンド面ＧＰ２に（したがって直の配線の接続を経て第１のグラウンド面ＧＰ１に）接続される第３の入力部と、iv)マイクロ線路に接続され、例えばＳＣＬ、ＳＤＡ、ＣＳおよび（＋５ボルトに相当する電圧を供給する）給電入力＋５Ｖのようなコマンド信号が供給されるようにしたいくつかのコマンド入力部と、v)増幅された選択信号ＡＳＳを供給する信号出力部とを具える。
【００３９】
第１の実施例のように、メインモジュールの出力部は、（受動の外部アンテナへの接続のため）ＲＦコネクタ切り換え手段ＳＷおよびビアを介して、マイクロ同軸ケーブルＣＣに接続し、このマイクロ同軸ケーブルＣＣはＮＩＭに接続し、これに増幅された選択信号ＡＳＳを供給するようにするのが好適である。
【００４０】
さらに、第１の実施例のように、マイクロ同軸ケーブルＣＣおよびマイクロ線路は、プリント基板ＰＣＢに規定されるビアにはんだ付けするのが好適である。マイクロ同軸ケーブルＣＣのシールドも、増幅モジュール出力部のビア付近で、ストップラッカーのない領域にはんだ付けするのが好適である。したがって、マイクロ同軸ケーブルＣＣは、プリント基板ＰＣＢの第２の（コンポーネントのない）側にはんだ付けするのが好適であり、一方、マイクロ線路は、プリント基板ＰＣＢの第１の（コンポーネント）側に経路を定め、第２の（コンポーネントのない）側にはんだ付けすることができる。
【００４１】
さらに、ＮＩＭは、図１にて説明したのと類似するものか、または同じものとする。
【００４２】
メインモジュールＭＭについて、少なくとも２つの実施例を想定することができる。第１の実施例は、以下、図３〜５を参照して説明する。第２の実施例は、図３、６および７を参照して、後ほど説明する。
【００４３】
第１の実施例では、メインモジュールＭＭは、低ノイズタイプとするのが好適な、それぞれＶＨＦおよびＵＨＦ信号専用の、第１および第２の増幅器Ａ１およびＡ２を含む増幅モジュールＡＭを具えている。
【００４４】
より正確には、第１の増幅器Ａ１は、第１の結合手段ＣＭ１の（第１の）出力部に結合して、（第２の結合手段ＣＭ２がＲＦ接地されるときに）ＶＨＦ周波数を有するＴＶ信号を増幅するようにする。第２の増幅器Ａ２は、第２の結合手段ＣＭ２を経てループアンテナＬＡに、および第２のグラウンド面ＧＰ２に（それから直の配線の接続を経て第１のグラウンド面ＧＰ１に）結合して、ＵＨＦ周波数を有するＴＶ信号を増幅するようにする。第２の増幅器Ａ２を用いる時は、ループアンテナＬＡは、一種のモノポールアンテナとして動作し、この第２の増幅器Ａ２に片端接地する。この種のアンテナは、適切に動作するのに接地が必要であり（この場合、この接地は第２のグラウンド面ＧＰ２であり、第１の増幅器Ａ１のグラウンドである）、したがって第１のグラウンド面ＧＰ１に接続する。
【００４５】
第１および第２の増幅器Ａ１およびＡ２は、インタフェースモジュールＩＦＭに接続される出力部を具え、インタフェースモジュールＩＦＭの出力部は、マイクロ同軸ケーブルＣＣに供給される増幅された選択信号ＡＳＳを伝送する。
【００４６】
図５に示すように、例えば、インタフェースモジュールＩＦＭは、i)グラウンド（ＧＰ２）と（増幅器の出力部に接続される）第１のノードとに接続した第１のレジスタＲ１と、ii)第１のノードと第２のノードとに接続した第２のレジスタＲ２と、iii)第２のノードと増幅された選択信号ＡＳＳを供給する出力部とに接続した第１のキャパシタＣ３と、iv)第２のノードと第２の端子とに接続した第１の端子を含む第３のレジスタＲ３と、v)第３のレジスタＲ３の第２の端子とグラウンド（ＧＰ２）とに接続した第２のキャパシタＣ４とを具えている。
【００４７】
メインモジュールＭＭはデジタルアナログ変換器ＣＶも具えており、このデジタルの入力部はマイクロ線路ＳＣＬおよびＳＤＡに結合し、そのアナログの入力部は、グラウンド（ＧＰ２）と、＋５Ｖと、直列に取り付けたレジスタＲ４およびＲ５を経てＣＳとに結合する。
【００４８】
＋５Ｖに結合される、変換器ＣＶの２つのアナログの入力部は、（Ｉ２Ｃ）バス制御を経てプログラミングするためのアドレス選択専用の、選択モジュールＳＥＭにも結合する。この選択モジュールＳＥＭは、例えば、第１のノードと第２のノードとに接続した第１のレジスタＲ６を具え、後者の第２のノードは、＋５Ｖと、グラウンド（ＧＰ２）にも接続されるキャパシタＣ５とに結合されるアナログの入力部に接続し、第２のレジスタＲ７は、第１のノードとグラウンド（ＧＰ２）とに接続する。第１のノードは、変換器ＣＶのアナログの入力部にも接続する。レジスタＲ６およびＲ７は、変換器ＣＶのピンの電圧を測定する役割をし、このピンはアドレス選択ピンとする。アドレス選択ピンが浮遊にされると、内部バイアスは、選定したアドレス（「Ｃ２」（参照符号Ｃ２を付したキャパシタではない））にアドレスを自動的に設定する。
【００４９】
第１の増幅器Ａ１は、中間モジュールＩＴＭにも結合する。図５に示すように、中間モジュールＩＴＭは、例えば、i)第２の結合手段ＣＭ２に接続した第１の端子と第１のノードに接続した第２の端子とを有するキャパシタＣ６と（キャパシタＣ６は、バラクタＶ１およびＶ２のチューニング電圧のためのＤＣ阻止キャパシタである）、ii)第１のノードとグラウンド（ＧＰ２）とに接続したダイオードＤ１と（ダイオードＤ１は、ＶＨＦ動作における第２の結合手段ＣＭ２を接地するスイッチングダイオードである）、iii)第１のノードに接続した第１の端子と、第２の端子とを有するインダクタンスＬ４と、iv)インダクタンスＬ４の第２の端子に接続される第１の端子と、第２の端子とを具えるレジスタＲ８と（レジスタＲ８はインダクタンスＬ４を経てＤＣ線を規定する）を具えている。
【００５０】
可変同調型トラップモジュールＴＴＭは、第２の結合手段ＣＭ２を経てループアンテナＬＡの中心点に結合される第２の増幅器Ａ２の入力部に接続することができる。この可変同調型トラップモジュールＴＴＭは、これが専用のコマンド信号（ＶＯＵＴＢ）を受信する時、信号をＵＨＦの範囲の上方で（例えば不所望なＧＳＭ信号に対して）フィルタ処理するために設けられる。図５に示すように、可変同調型トラップモジュールＴＴＭは、例えば、i)第２の結合手段ＣＭ２に接続される第１のノードと、第２のノードとの間に並列に取り付けた２つのインダクタＬ５およびＬ６と、ii)第２のノードと第３のノードとの間に並列に取り付けた、レジスタＲ９およびキャパシタＣ７と、iii)第３のノードとグラウンド（ＧＰ２）とに接続した可変容量ダイオードＶ３とを具えている。第１のノードは、レジスタＲ１０を経て、可変容量ダイオードＶ３のためのチューニング電圧である専用のコマンド信号（ＶＯＵＴＢ）を供給する変換器ＣＶのアナログの出力部に結合する。
【００５１】
図５に示すように、切り換えモジュールＳＭは、例えば、
−  インタフェースモジュールＩＦＭの出力部に接続される第１の端子、および第１のノードに接続される第２の端子を具える第１のレジスタＲ１１と、
−  第１のノードに接続される第１の端子、および第２のノードに接続される第２の端子を具える第２のレジスタＲ１２と、
−  第１のノードに接続されるベース、第２のノードに接続されるエミッタ、および第３のノードに接続されるコレクタを具える第１のトランジスタＴ１と、
−  第３のノードおよびグラウンド（ＧＰ２）に接続されるキャパシタＣ８と、
−  第３のノードに接続される第１の端子、および第４のノードに接続される第２の端子を具える第３のレジスタＲ１３と、
−  第４のノードに接続されるベース、第３のノードに接続されるエミッタ、および第５のノードに接続されるコレクタを具える第２のトランジスタＴ２と、
−  第５のノードに接続される第１の端子、およびグラウンド（ＧＰ２）に接続される第２の端子を具える第４のレジスタＲ１４と、
−  第３のノードに接続される第１の端子、および第６のノードに接続される第２の端子を具える第５のレジスタＲ１４と、
−  第６のノードに接続される第１の端子、および第２の増幅器Ａ２に接続される第２の端子を具える第６のレジスタＲ１５と、
−  第６のノードに接続されるベース、第３のノードに接続されるエミッタ、および第１の増幅器に接続されるコレクタを具える第３のトランジスタＴ３とを含んでいる。
【００５２】
図５に示すように、第１の増幅器Ａ１は、例えば、
−  第１の結合手段ＣＭ１の（第１の）出力部、および第１のノードに接続される第１キャパシタＣ９と、
−  第１のノードに接続されるベース、グラウンド（ＧＰ２およびそれからＧＰ１）に接続されるエミッタ、および第２のノードに接続されるコレクタを具えるトランジスタＴ４と、
−  第１のノードに接続される第１の端子、および第３のノードに接続される第２の端子を具える第１のレジスタＲ１６と、
−  第３のノードに接続される第１の端子、および第２のノードに接続される第２の端子を具える第２のレジスタＲ１７と、
−  第２および第３のノード間で並列に取り付けられる第２のキャパシタＣ１０と、
−  第２のノードに接続される第１の端子、およびインタフェースモジュールＩＦＭの信号入力部に接続される第１の増幅器の出力部を規定する第２の端子を有するダイオードＤ２と、
−  第２のノードに接続される第１の端子、および第２の端子を具える第３のレジスタＲ１８と、
−  第３のレジスタＲ１８の第２の端子に接続される第１の端子、および切り換えモジュールＳＭと中間モジュールＩＴＭの抵抗Ｒ８の第２の端子とに接続される第４のノードに接続される第２の端子を具えるインダクタンスＬ７と、
−  第４のノードおよびグラウンド（ＧＰ２）に接続される第３のキャパシタＣ１１とを含んでいる。
【００５３】
第１の増幅器Ａ１は、２５０ＭＨｚを超える信号をカットオフするために、トランジスタＴ４の（すなわち、その第１のノードに接続される）入力部にて、ローパスフィルタを具えるようにすることもできる。
【００５４】
第２の増幅器Ａ２は、第１の増幅器Ａ１と同じ構成を有するようにするのが好適である。したがって、図５に示すように、第２の増幅器Ａ２は、
−  第２の結合手段ＣＭ２を経てループアンテナＬＡの中心点と、第１のノードとに結合される第１のキャパシタＣ１２と、
−  第１のノードに接続されるベース、グラウンド（ＧＰ２およびそれからＧＰ１）に接続されるエミッタ、および第２のノードに接続されるコレクタを具えるトランジスタＴ５と、
−  第１のノードに接続される第１の端子、および第３のノードに接続される第２の端子を具える第１のレジスタＲ１９と、
−  第３のノードに接続される第１の端子、および第２のノードに接続される第２の端子を具える第２のレジスタＲ２０と、
−  第２および第３のノード間で並列に取り付けられる第２のキャパシタＣ１３と、
−  第２のノードに接続される第１の端子、およびインタフェースモジュールＩＦＭの信号入力部に接続される第２の増幅器の出力部を規定する第２の端子を具えるダイオードＤ３と、
−  第２のノードに接続される第１の端子、および第２の端子を具える第３のレジスタＲ２１と、
−  第３のレジスタＲ２１の第２の端子に接続される第１の端子、および切り換えモジュールＳＭに接続される第４のノードに接続される第２の端子を具えるインダクタンスＬ８と、
−  第４のノードおよびグラウンド（ＧＰ２）に接続される第３のキャパシタＣ１４とを含んでいる。
【００５５】
第２の増幅器Ａ２は、その第１のノードに接続される第１の端子、およびグラウンドに接続されＵＨＦ用のショートカットとして機能する直流阻止キャパシタＣ１５に接続される第２の端子を具える、インダクタンスＬ９も含むようにもできる。インダクタンスＬ９および第１のキャパシタＣ１２は、ハイパスフィルタを規定する。キャパシタＣ１２およびインダクタンスＬ９は、４００ＭＨｚ以下の信号をカットオフするよう選定することができる。
【００５６】
平面アンテナ装置ＡＤは、上述した構成を有する３つの動作モードを提供する。
【００５７】
第１の動作モードでは、平面アンテナ装置ＡＤは、ＵＨＦおよびＶＨＦ信号を供給する。
【００５８】
この場合、マイクロ同軸ケーブルＣＣの終端部のコネクタは、ＮＩＭにてＤＣを終端させなければならない。これは、ＮＩＭが平面アンテナ装置ＡＤ（入力部にてグラウンド（ＧＰ２）に接続されるインダクタンスＬ１）に接続される際にも言えることである。これにより、切り換えモジュールＳＭの第１のトランジスタＴ１は、切り換えモジュールＳＭの第２および第３のトランジスタＴ２およびＴ３に給電することができ、これらは、それぞれ、第１および第２の増幅器Ａ１およびＡ２に対するスイッチになる。したがって、第１の増幅器Ａ１は、ループアンテナＬＡによって受信されるＶＨＦ信号を増幅し、インタフェースモジュールＩＦＭに増幅ＶＨＦ信号ＡＳＳを供給することができ、第２の増幅器Ａ２は、ループアンテナＬＡによって受信されるＵＨＦ信号を増幅し、インタフェースモジュールＩＦＭに増幅ＵＨＦ信号ＡＳＳを供給することができる。
【００５９】
追加の外部アンテナのコネクタがプラグインされる際、切り換えモジュールＳＭの第１のレジスタＲ１１は浮遊している。これにより、切り換えモジュールＳＭの第１のトランジスタＴ１はターンオフし、第１および第２の増幅器Ａ１およびＡ２は両方ともスイッチオフになる。それから、追加の外部アンテナによって供給される外部信号は、ＮＩＭに直に接続される。
【００６０】
追加の外部アンテナが供給電圧を必要とする場合、これは、（メニューの項目を通じて）ユーザによって、または自動のスイッチング回路によって、携帯機器側でスイッチオンおよびオフすることができる。追加の外部アンテナがプラグインされていない時にユーザが＋５Ｖの電圧供給を開始すると、平面アンテナ装置ＡＤはスイッチオフになる。
【００６１】
第２の動作モードでは、平面アンテナ装置ＡＤは、ＶＨＦ信号のみを供給する。
【００６２】
この場合、コマンド信号ＣＳは高く（例えば＋４Ｖ以上）設定しなければならない。その場合、切り換えモジュールＳＭの第２のトランジスタＴ２はオフになり、一方、切り換えモジュールＳＭの第３のトランジスタＴ３はオンになる。したがって、第１の増幅器Ａ１のトランジスタＴ４が電源オンになり、中間モジュールＩＴＭのダイオードＤ１が導通すると、これにより、ループアンテナＬＡの中心点は、第２の結合手段ＣＭ２および中間モジュールＩＴＭのキャパシタＣ６を経てＲＦ接地になる。第１の増幅器Ａ１のトランジスタＴ４は、第１の結合手段ＣＭ１によって第１の増幅器Ａ１の第１のキャパシタＣ９を経て供給される、タップされたＶＨＦ信号が供給される。第１の増幅器Ａ１のダイオードＤ２もスイッチオンになると、これは、増幅されたＶＨＦ信号ＡＳＳをインタフェースモジュールＩＦＭに供給し、このインタフェースモジュールＩＦＭは、その第２のレジスタＲ２およびその第１キャパシタＣ３を経て、当該信号をマイクロ同軸ケーブルＣＣに供給する。
【００６３】
第３の動作モードでは、平面アンテナ装置ＡＤは、ＵＨＦ信号のみを供給する。
【００６４】
この場合、コマンド信号ＣＳは低く（例えば＋１Ｖ以下）設定しなければならない。その場合、切り換えモジュールＳＭの第２のトランジスタＴ２はオンになり、一方、切り換えモジュールＳＭの第３のトランジスタＴ３はオフになる。したがって、第２の増幅器Ａ２のトランジスタＴ５は電源オンになり、中間モジュールＩＴＭのダイオードＤ１はオフになる。したがって、ループアンテナＬＡは、第２の結合手段ＣＭ２と第２の増幅器Ａ２の第１のキャパシタＣ１２とを経て、第２の増幅器Ａ２のトランジスタＴ５に接続される。ループアンテナＬＡの中心点の接地が断絶され（Ｄ１オフ）、第２の増幅器Ａ２のダイオードＤ３もスイッチオンされ、トランジスタＴ５のエミッタが（ＧＰ２を経て）第１のグラウンド面ＧＰ１に接続されると、トランジスタＴ５は（そのエミッタによって）第１のグラウンド面ＧＰ１と、（そのベースによって）ループアンテナＬＡとに接続され、後者は一種のモノポールアンテナとして機能する。ループアンテナＬＡと、トランジスタＴ５を経た第１のグラウンド面ＧＰ１との協働により、第２の増幅器Ａ２は増幅されたＵＨＦ信号ＡＳＳをインタフェースモジュールＩＦＭに供給し、このインタフェースモジュールＩＦＭは、その第２のレジスタＲ２およびその第１のキャパシタＣ３を経て、当該信号をマイクロ同軸ケーブルＣＣに供給できる。
【００６５】
図６および７に示す第２の実施例では、メインモジュールＭＭは、好ましくは低ノイズタイプの、ＶＨＦおよびＵＨＦ信号の双方専用とする、共通の１つの増幅器Ａを有する増幅モジュールＡＭを具えている。
【００６６】
より正確には、増幅器Ａは、切り換えモジュールＳＭを経て、第１の結合手段ＣＭ１の（第１の）出力部と第２の結合手段の（第２の）出力部ＣＭ２とに接続され、さらに第２のグラウンド面ＧＰ２および直接の配線接続部を経て第１のグラウンド面ＧＰ１接続されて、ＶＨＦおよび／またはＵＨＦの周波数を有するＴＶ信号を増幅する。
【００６７】
増幅器Ａは、インタフェースモジュールＩＦＭ’に接続される出力部を具えており、この出力部は、マイクロ同軸ケーブルＣＣに供給する増幅された選択信号ＡＳＳを供給する。
【００６８】
図７に示すように、インタフェースモジュールＩＦＭ’は、例えば、i)増幅器Ａの出力部と第１のノードとに接続される第１のレジスタＲ２２と、ii)第１のノードに接続される第１の端子、および第２の端子を具える第２のレジスタＲ２３と、iii)第２のレジスタＲ２３の第２の端子と、グラウンド（ＧＰ２）とに接続した第１キャパシタＣ１６と、iv)第１のノードと、増幅された選択信号ＡＳＳを供給するための出力部を規定する第２のノードとに接続される第２のキャパシタＣ１７とを具えることができる。
【００６９】
メインモジュールＭＭはデジタルアナログコンバータＣＶも具えており、これは図４および５にて説明した変換器ＣＶと類似するものか、または同じものである。したがって、その説明は省略する。
【００７０】
増幅器Ａの信号入力部は、可変同調型トラップモジュールＴＴＭ’（またはＧＳＭフィルタ）に結合することができる。この可変同調型トラップモジュールＴＴＭ’は、これが専用のコマンド信号（ＶＯＵＴＢ）を受信する時、信号をＵＨＦの範囲の上方でフィルタ処理するために設けられる。図７に示すように、可変同調型トラップモジュールＴＴＭ’は、例えば、i)増幅器の信号入力部および切り換えモジュールＳＭに結合される第１のノードと、第２のノードとの間に並列に取り付けた２つのインダクタＬ９およびＬ１０と、ii)第２のノードと第３のノードとに接続したキャパシタＣ１８と、iii)第３のノードとグラウンド（ＧＰ２）とに接続した可変容量ダイオードＶ４と、iv)第３のノードに接続される第１の端子、および第２の端子を具える第１のレジスタＲ２４と、v)第１のレジスタＲ２４の第２の端子に接続される第１の端子と、第１の結合手段ＣＭ１に、また間接的に変換器ＣＶのアナログの出力部に結合される第２の端子とを具える第２のレジスタＲ２５とを具えることができ、このアナログの出力部は、可変容量ダイオードＶ４のためのチューニング電圧である専用のコマンド信号（ＶＯＵＴＢ）を供給する。
【００７１】
図７に示すように、切り換えモジュールＳＭは、例えば、
−  インタフェースモジュールＩＦＭ’の出力部に接続される第１の端子、および第１のノードに接続される第２の端子を具える第１のレジスタＲ２６と、
−  第１のノードに接続される第１の端子、および第２のノードに接続される第２の端子を具え、後者は＋５Ｖの線に接続される第２のレジスタＲ２７と、
−  第１のノードに接続されるベース、第２のノードに接続されるエミッタ、および第３のノードに接続されるコレクタを具える第１のトランジスタＴ６と、
−  第３のノードおよびグラウンド（ＧＰ２）に接続されるキャパシタＣ１９と、
−  第４のノードに接続されるベース、第５のノードに接続されるコレクタ、および第３のノードに接続されるエミッタを具える第２のトランジスタＴ７と、
−  第３のノードに接続される第１の端子、および第４のノードに接続される第２の端子を具える第３のレジスタＲ２８と、
−  第４のノードに接続される第１の端子、および第６のノードに接続される第２の端子を具え、後者はＣＳ線のレジスタＲ４とＲ５との間に位置付けたノードに接続される、第４のレジスタＲ２９と、
−  第７のノードに接続されるベース、第５のノードに接続されるコレクタ、およびグラウンド（ＧＰ２）に接続されるエミッタを具える第３のトランジスタＴ８と、
−  第７のノードに接続される第１の端子、および第６のノードに接続される第２の端子を具える第５のレジスタＲ３０と、
−  第７のノードに接続される第１の端子、およびグラウンド（ＧＰ２）に接続される第２の端子を具える第６のレジスタＲ３１と、
−  第５のノードと、グラウンド（ＧＰ２）とに接続される第２のキャパシタＣ２０と、
−  第５のノードに接続される第１の端子、および第２の端子を具える第７のレジスタＲ３２と、
−  第７のレジスタＲ３２の第２の端子に接続される第１の端子、および第８のノードに接続される第２の端子を具える第１のインダクタＬ１１と、
−  第８のノードと第９のノードとに接続され、後者は第２の結合手段ＣＭ２を経てループアンテナＬＡの中心点に接続される、第３のキャパシタＣ２１と、
−  第９のノードと第１０のノードとに接続される第２のインダクタＬ１２と、
−  第１０のノードとグラウンド（ＧＰ２）とに接続される第４のキャパシタＣ２２と、
−  第１０のノードに接続される第１の端子と、可変同調型トラップモジュールＴＴＭ’の専用のコマンド信号（ＶＯＵＴＢ）を供給する、変換器ＣＶのアナログの出力部（ＶＯＵＴＢ）に接続される第２の端子とを具える第８のレジスタＲ３３と、
−  第８のノードと第１１のノードとに接続される第１のダイオードＤ４と、
−  第１１のノードとグラウンド（ＧＰ２）とに接続される第５のキャパシタＣ２３と、
−  第１１のノードに接続される第１の端子と、第１２のノードに接続される第２の端子とを具える第９のレジスタＲ３４と、
−  第１２のノードとグラウンド（ＧＰ２）とに接続される第６のキャパシタＣ２４と、
−  第１２のノードとグラウンド（ＧＰ２）とに接続される第１０のレジスタＲ３５と、
−  第１２のノードと第３のノードとに接続される第１１のレジスタＲ３６と、
−  第１２のノードとグラウンド（ＧＰ２）とに接続される第７のキャパシタＣ２５と、
−  第１２のノードに接続される第１の端子と、第１３のノードに接続される第２の端子とを具える第１２のレジスタＲ３７と、
−  第１３のノードとグラウンド（ＧＰ２）とに接続される第８のキャパシタＣ２６と、
−  第１３のノードと第１４のノードとに接続される第３のインダクタＬ１３と、
−  第１４のノードと第８のノードとに接続される第２のダイオードＤ５と、
−  第１４のノードに接続される第１の端子と、増幅器Ａの信号入力部および可変同調型トラップモジュールＴＴＭ’の第１のノードの双方に接続される第２の端子とを具える第９のキャパシタＣ２７と、
−  第１４のノードと、第１の結合手段ＣＭ１の（第１の）出力部および可変同調型トラップモジュールＴＴＭ’の第２のレジスタＲ２５の双方とに接続される第１０のキャパシタＣ２８と、を含んでいる。
【００７２】
図７に示すように、増幅器Ａは、例えば、
−  可変同調型トラップモジュールＴＴＭ’の第１のノードおよび切り換えモジュールＳＭの第９のキャパシタＣ２７の第２の端子の双方に接続される第１の端子と、第１のノードに接続される第２の端子とを具える第１のキャパシタＣ２９と、
−  第１のノードに接続されるベース、グラウンド（ＧＰ２およびそれからＧＰ１）に接続されるエミッタ、およびインタフェースモジュールＩＦＭ’の信号入力部（Ｒ２２）に接続される、増幅器の出力部を規定する第２のノードに接続されるコレクタを具えるトランジスタＴ９と、
−  第１のノードに接続される第１の端子、および第３のノードに接続される第２の端子を具える第１のレジスタＲ３８と、
−  第３のノードに接続される第１の端子、および第２のノードに接続される第２の端子を具える第２のレジスタＲ３９と、
−  第２および第３のノード間で並列に取り付けられる第２のキャパシタＣ３０と、
−  第２のノードに接続される第１の端子、および第２の端子を具える第３のレジスタＲ４０と、
−  第３のレジスタＲ４０の第２の端子に接続される第１の端子、および切り換えモジュールＳＭに接続される第４のノードに接続される第２の端子を具えるインダクタンスＬ１４と、
−  第４のノードとグラウンド（ＧＰ２）とに接続される第３のキャパシタＣ３１と、
−  第４のノードに接続される第１の端子、および切り換えモジュールＳＭの第３のノードに接続される第２の端子を具える第４のレジスタＲ４１と、を含んでいる。
【００７３】
増幅器Ａは、第１のノードに接続される第１の端子と、グラウンドに接続されて１５０ＭＨｚに対するショートカットとして機能する直流阻止キャパシタＣ３２に接続される第２の端子と、を具えるインダクタンスＬ１５も含むことができる。インダクタンスＬ１５および第１のキャパシタＣ２９は、ハイパスフィルタを規定する。キャパシタＣ２９およびインダクタンスＬ１５は、１５０ＭＨｚより低い周波数の信号をカットオフするように選定することができる。
【００７４】
平面アンテナ装置ＡＤも、上記した構成を有する３つの動作モードを提供する。
【００７５】
第１の動作モードでは、平面アンテナ装置ＡＤは、ＵＨＦおよびＶＨＦ信号の双方を供給する。
【００７６】
この場合、マイクロ同軸ケーブルＣＣの終端部のコネクタは、ＮＩＭにてＤＣを終端させなければならない。これは、ＮＩＭが平面アンテナ装置ＡＤ（入力部にてグラウンド（ＧＰ２）に接続されるインダクタンスＬ１）に接続される際に言えることである。これにより、切り換えモジュールＳＭの第１のトランジスタＴ６は、切り換えモジュールＳＭの第２および第３のトランジスタＴ７およびＴ８に給電することができ、これらは増幅器Ａに対するスイッチになる。したがって、増幅器Ａは、ループアンテナＬＡによって受信されるＶＨＦおよびＵＨＦの信号を増幅し、インタフェースモジュールＩＦＭ’に増幅されたＶＨＦおよびＵＨＦ信号ＡＳＳを供給することができる。
【００７７】
追加の外部アンテナのコネクタが（ＲＦコネクタ切り換え手段ＳＷによって）プラグインされる際、切り換えモジュールＳＭの第１のレジスタＲ２６は浮遊している。これにより、切り換えモジュールＳＭの第１のトランジスタＴ６はターンオフし、増幅器Ａはスイッチオフされる。それから、追加の外部アンテナによって供給される外部信号は、ＮＩＭに直に接続される。
【００７８】
追加の外部アンテナが供給電圧を必要とする場合、これは、（メニューの項目を通じて）ユーザによって、または自動のスイッチング回路によって、携帯機器側でスイッチオンおよびオフすることができる。追加の外部アンテナがプラグイン（ＲＦコネクタ切り換え手段ＳＷ）されていない時にユーザが＋５Ｖの電圧供給を開始すると、平面アンテナ装置ＡＤはスイッチオフになる。
【００７９】
第２の動作モードでは、平面アンテナ装置ＡＤは、ＶＨＦ信号のみを供給する。
【００８０】
この場合、コマンド信号ＣＳは低く（例えば＋１Ｖ以下）設定しなければならない。その場合、切り換えモジュールＳＭの第２のトランジスタＴ７および第１のダイオードＤ４はオンになり、一方、切り換えモジュールＳＭの第３のトランジスタＴ８および第２のダイオードＤ５はオフになる。追加の外部アンテナを用いない場合、増幅器ＡのトランジスタＴ９は常に給電される。第１のダイオードＤ４が電源オンになり、第３のキャパシタＣ２１を経て第２の結合手段ＣＭ２に接続されると、これにより、ループアンテナＬＡの中心点は、切り換えモジュールＳＭの第５のキャパシタＣ２３を経てＲＦ接地になる。したがって、増幅器ＡのトランジスタＴ９は、第１の結合手段ＣＭ１によって、切り換えモジュールＳＭの第１０および第９のキャパシタＣ２８およびＣ２７と、増幅器Ａの第１のキャパシタＣ２９とを経て供給される、タップされたＶＨＦ信号が供給される。増幅器Ａは、インタフェースモジュールＩＦＭ’に接続されるその出力部に増幅されたＶＨＦ信号ＡＳＳを供給し、インタフェースモジュールＩＦＭ’は、これらの信号ＡＳＳを、その第１のレジスタＲ２２およびその第２のキャパシタＣ１７を経てマイクロ同軸ケーブルＣＣに供給する。
【００８１】
第３の動作モードでは、平面アンテナ装置ＡＤは、ＵＨＦ信号のみを供給する。
【００８２】
この場合、コマンド信号ＣＳは高く（例えば＋４Ｖ以上）設定しなければならない。その場合、切り換えモジュールＳＭの第２のトランジスタＴ７および第１のダイオードＤ４はオフになり、一方、切り換えモジュールＳＭの第３のトランジスタＴ８および第２のダイオードＤ５はオンになる。第１のダイオードＤ４がオフになり、第２のダイオードＤ５がオンになると、増幅器ＡのトランジスタＴ９は、切り換えモジュールＳＭの第２の結合手段ＣＭ２と、第３のキャパシタＣ２１と、第２のダイオードＤ５と、第９のキャパシタＣ２７と、増幅器Ａの第１のキャパシタＣ２９とを経て、ループアンテナＬＡに結合される。ループアンテナＬＡの中心点の接地が断絶され（Ｄ４オフ）、ダイオードＤ５がスイッチオンされ、トランジスタＴ９のエミッタが（ＧＰ２を経て）第１のグラウンド面ＧＰ１に接続されると、トランジスタＴ９は、第１のグラウンド面ＧＰ１と、一種のモノポールアンテナとして機能するループアンテナＬＡとの双方に接続される。ループアンテナＬＡとトランジスタＴ９を経た第１のグラウンド面ＧＰ１との協働により、増幅器Ａは増幅されたＵＨＦ信号ＡＳＳをインタフェースモジュールＩＦＭ’に接続されるその出力部に供給し、このインタフェースモジュールＩＦＭ’は、その第１のレジスタＲ２２およびその第２のキャパシタＣ１７を経て、当該信号ＡＳＳをマイクロ同軸ケーブルＣＣに供給できる。
【００８３】
なお、本発明は、単に例示として上述した平面アンテナ装置（ＡＤ）および電子機器（ＰＥ）に限定されるものではなく、当業者により請求の範囲内と想定される全ての変形例を含むものである。
【００８４】
本明細書および請求項において、要素が特に複数であることが明示されていなくとも、このような要素が複数存在することを除外するものではない。また、「具える」という語は、列記した要素またはステップ以外の存在を除外するものではない。
【図面の簡単な説明】
【００８５】
【図１】本発明による平面アンテナ装置の第１実施例により提供される携帯機器を示す概略図である。
【図２】本発明による平面アンテナ装置のチューニングモジュールの実施例を示す概略図である。
【図３】本発明による平面アンテナ装置の第２実施例により提供される携帯機器を示す概略図である。
【図４】本発明による平面アンテナ装置のメインモジュールの第１実施例を示す概略図である。
【図５】図４に示したメインモジュールの機能ブロックの詳細を例示する図である。
【図６】本発明による平面アンテナ装置のメインモジュールの第２実施例を示す概略図である。
【図７】図６に示したメインモジュールの機能ブロックの詳細を例示する図である。
【図１】
2009514307.tif 000003
【図２】
2009514307.tif 000004
【図３】
2009514307.tif 000005
【図４】
2009514307.tif 000006
【図５】
2009514307.tif 000007
【図６】
2009514307.tif 000008
【図７】
2009514307.tif 000009
【国際調査報告】
2009514307.tif 000010
2009514307.tif 000011
2009514307.tif 000012